(57)【要約】【課題】導電部材の局所的な温度上昇を抑制できる渦電流式ダンパを提供する。【解決手段】渦電流式ダンパ１は、磁石保持部材４と、複数の永久磁石５と、導電部材６と、２つのシール部材７と、磁石保護カバー８と、熱吸収液９と、を含む。磁石保持部材４は、円筒形状である。複数の永久磁石５は、磁石保持部材４に固定され、磁石保持部材４の周方向に磁極の配置を交互に反転して配列される。導電部材６は、円筒形状であり、複数の永久磁石５と隙間を空けて対向し、複数の永久磁石５に対して相対的に回転可能である。２つのシール部材７は、導電部材６と磁石保持部材４との隙間に設けられ、導電部材６及び磁石保持部材４と密閉空間を形成する。磁石保護カバー８は、密閉空間を複数の永久磁石５が収容された磁石収容室１１と、液体収容室１２とに仕切り、磁石保持部材４に固定される。熱吸収液９は、液体収容室１２に収容される。【選択図】図２
2020016309.tif 000002
【特許請求の範囲】
【請求項１】
ねじ軸及びボールナットを用いて永久磁石と導電部材とを相対的に回転させることで減衰力を得る渦電流式ダンパであって、
円筒形状の磁石保持部材と、
前記磁石保持部材に固定され、前記磁石保持部材の周方向に磁極の配置を交互に反転して配列された複数の永久磁石と、
前記複数の永久磁石と隙間を空けて対向し、前記複数の永久磁石に対して相対的に回転可能な円筒形状の導電部材と、
前記導電部材と前記磁石保持部材との隙間に設けられ、前記導電部材及び前記磁石保持部材と密閉空間を形成する２つのシール部材と、
前記密閉空間を前記複数の永久磁石が収容された磁石収容室と、液体収容室とに仕切り、前記磁石保持部材に固定された磁石保護カバーと、
前記液体収容室に収容された熱吸収液と、を備える渦電流式ダンパ。
【請求項２】
請求項１に記載の渦電流式ダンパであって、
前記磁石保持部材は、前記ボールナットに固定され、
前記複数の永久磁石は、前記磁石保持部材の外周面に固定され、
前記導電部材の内周面が、前記複数の永久磁石と隙間を空けて対向する、渦電流式ダンパ。
【請求項３】
請求項１に記載の渦電流式ダンパであって、
前記導電部材は、前記ボールナットに固定され、
前記複数の永久磁石は、前記磁石保持部材の内周面に固定され、
前記導電部材の外周面が、前記複数の永久磁石と隙間を空けて対向する、渦電流式ダンパ。
【請求項４】
請求項１に記載の渦電流式ダンパであって、
前記導電部材は、前記ボールナットに固定され、
前記複数の永久磁石は、前記磁石保持部材の外周面に固定され、
前記導電部材の内周面が、前記複数の永久磁石と隙間を空けて対向する、渦電流式ダンパ。
【請求項５】
請求項１に記載の渦電流式ダンパであって、
前記磁石保持部材は、前記ボールナットに固定され、
前記複数の永久磁石は、前記磁石保持部材の内周面に固定され、
前記導電部材の外周面が、前記複数の永久磁石と隙間を空けて対向する、渦電流式ダンパ。
【請求項６】
請求項１〜請求項５のいずれか１項に記載の渦電流式ダンパであって、
前記磁石収容室には、断熱材が封入される、渦電流式ダンパ。
【発明の詳細な説明】
【技術分野】
【０００１】
本発明は、渦電流式ダンパに関する。
【背景技術】
【０００２】
地震等による振動から建築物を保護するために、建築物には制振装置が取り付けられる。制振装置は建築物に与えられた運動エネルギを熱エネルギ等の他のエネルギに変換することにより、振動を減衰させる。このような制振装置としてオイル式ダンパが知られている。オイル式ダンパは、シリンダ内に充填された粘性流体の抵抗を利用して振動を減衰させる。
【０００３】
しかしながら、粘性流体の粘度は粘性流体の温度に依存するため、オイル式ダンパの減衰力は粘性流体の温度に依存する。したがって、オイル式ダンパを建築物に使用する際には、使用環境を考慮して適切な粘性流体を選択する必要がある。減衰力が温度に依存しないダンパとして、渦電流式ダンパがある。
【０００４】
渦電流式ダンパはたとえば、特公平５−８６４９６号公報（特許文献１）に開示されている。
【０００５】
特許文献１の渦電流式ダンパは、主筒に取り付けられた複数の永久磁石と、ねじ軸に接続されたヒステリシス材と、ねじ軸と噛み合うボールナットと、ボールナットに接続された副筒と、を備える。複数の永久磁石は、磁極の配置が交互に異なる。ヒステリシス材は、複数の永久磁石と対向し、相対回転可能である。この渦電流式ダンパに運動エネルギが与えられると、副筒及びボールナットが軸方向に往復移動し、ボールねじの作用によってヒステリシス材が回転する。これにより、ヒステリシス損が生じ、運動エネルギが消費される。また、ヒステリシス材に渦電流が発生するため、渦電流損により運動エネルギが消費される（減衰力が得られる）、と特許文献１には記載されている。
【先行技術文献】
【特許文献】
【０００６】
【特許文献１】特公平５−８６４９６号公報
【発明の概要】
【発明が解決しようとする課題】
【０００７】
しかしながら、特許文献１の渦電流式ダンパでは、ヒステリシス材（導電部材）の永久磁石と対向する側の表面近傍に渦電流が発生するため、この領域が集中的に加熱され、局所的に高温化する。導電部材の温度が局所的に高温化すれば、導電部材自体及びその周辺部品の強度等に悪影響を与える可能性がある。また、局所的に高温化した導電部材の熱が永久磁石に伝達されることで、永久磁石が減磁し、渦電流式ダンパの減衰力が低下する可能性がある。
【０００８】
本発明の目的は、導電部材の局所的な温度上昇を抑制できる渦電流式ダンパを提供することである。本発明のもう一つの目的は、永久磁石の温度上昇を抑制できる渦電流式ダンパを提供することである。
【課題を解決するための手段】
【０００９】
本発明のねじ軸及びボールナットを用いて永久磁石と導電部材とを相対的に回転させることで減衰力を得る渦電流式ダンパは、磁石保持部材と、複数の永久磁石と、導電部材と、２つのシール部材と、磁石保護カバーと、熱吸収液と、を含む。磁石保持部材は、円筒形状である。複数の永久磁石は、磁石保持部材に固定され、磁石保持部材の周方向に磁極の配置を交互に反転して配列される。導電部材は、円筒形状であり、複数の永久磁石と隙間を空けて対向し、複数の永久磁石に対して相対的に回転可能である。２つのシール部材は、導電部材と磁石保持部材との隙間に設けられ、導電部材及び磁石保持部材と密閉空間を形成する。磁石保護カバーは、密閉空間を複数の永久磁石が収容された磁石収容室と、液体収容室とに仕切り、磁石保持部材に固定される。熱吸収液は、液体収容室に収容される。
【発明の効果】
【００１０】
本発明の渦電流式ダンパによれば、導電部材の局所的な温度上昇を抑制でき、かつ、永久磁石の温度上昇を抑制できる。
【図面の簡単な説明】
【００１１】
【図１】図１は、第１実施形態の渦電流式ダンパの軸方向に沿った面での断面図である。
【図２】図２は、図１の一部拡大図である。
【図３】図３は、図２中のＩＩＩ−ＩＩＩ線での断面図である。
【図４】図４は、図３の一部拡大図である。
【図５】図５は、第２実施形態の渦電流式ダンパの軸方向に沿った面での一部断面図である。
【図６】図６は、第３実施形態の渦電流式ダンパの軸方向に沿った面での断面図である。
【図７】図７は、図６の一部拡大図である。
【図８】図８は、第４実施形態の渦電流式ダンパの軸方向に沿った面での一部断面図である。
【発明を実施するための形態】
【００１２】
（１）本実施形態のねじ軸及びボールナットを用いて永久磁石と導電部材とを相対的に回転させることで減衰力を得る渦電流式ダンパは、磁石保持部材と、複数の永久磁石と、導電部材と、２つのシール部材と、磁石保護カバーと、熱吸収液と、を含む。磁石保持部材は、円筒形状である。複数の永久磁石は、磁石保持部材に固定され、磁石保持部材の周方向に磁極の配置を交互に反転して配列される。導電部材は、円筒形状であり、複数の永久磁石と隙間を空けて対向し、複数の永久磁石に対して相対的に回転可能である。２つのシール部材は、導電部材と磁石保持部材との隙間に設けられ、導電部材及び磁石保持部材と密閉空間を形成する。磁石保護カバーは、密閉空間を複数の永久磁石が収容された磁石収容室と、液体収容室とに仕切り、磁石保持部材に固定される。熱吸収液は、液体収容室に収容される。
【００１３】
このような構成の渦電流式ダンパによれば、液体収容室に充填された熱吸収液が導電部材と接するため、渦電流により導電部材に生じた熱を熱吸収液が奪うことができる。また、熱吸収液は磁石保護カバーとも接するため、永久磁石（磁石保持部材）が回転することに伴い、磁石保護カバーが回転すれば、熱吸収液は攪拌される。これにより、熱吸収液が導電部材から奪った熱が、熱吸収液中（特に軸方向）に拡散され、温度が均一になりやすい。熱吸収液の温度が均一になれば、熱吸収液と接する導電部材の温度も均一になりやすく、導電部材の局所的な温度上昇を抑制することができる。また、導電部材の局所的な温度上昇（導電部材の最高温度）が抑制されれば自動的に、導電部材からの輻射熱による永久磁石の温度上昇も抑制される。
【００１４】
上記（１）の渦電流式ダンパは、以下の（２）〜（５）のいずれかの構成とすることができる。
【００１５】
（２）磁石保持部材は、ボールナットに固定され、複数の永久磁石は、磁石保持部材の外周面に固定され、導電部材の内周面が、複数の永久磁石と隙間を空けて対向する。
【００１６】
（３）導電部材は、ボールナットに固定され、複数の永久磁石は、磁石保持部材の内周面に固定され、導電部材の外周面が、複数の永久磁石と隙間を空けて対向する。
【００１７】
（４）導電部材は、ボールナットに固定され、複数の永久磁石は、磁石保持部材の外周面に固定され、導電部材の内周面が、複数の永久磁石と隙間を空けて対向する。
【００１８】
（５）磁石保持部材は、ボールナットに固定され、複数の永久磁石は、磁石保持部材の内周面に固定され、導電部材の外周面が、複数の永久磁石と隙間を空けて対向する。
【００１９】
（６）上記（１）〜（５）のいずれかの渦電流式ダンパにおいて、磁石収容室には、断熱材が封入されるのが好ましい。
【００２０】
以下、図面を参照して、本発明の実施の形態を詳しく説明する。図中同一又は相当部分には同一符号を付してその説明は繰り返さない。
【００２１】
［第１実施形態］
図１は、第１実施形態の渦電流式ダンパの軸方向に沿った面での断面図である。渦電流式ダンパ１は、ねじ軸２と、ボールナット３と、を含む。なお、本明細書において「軸方向」とはねじ軸２の軸方向を意味する。
【００２２】
［ねじ軸］
ねじ軸２は、直線状に延びる部材であり、建物に取り付けられた取付具２１に固定される。建物が揺れるとその振動は、取付具２１を介してねじ軸２に伝達され、ねじ軸２が軸方向に変位し、振動に同期して往復運動する。ねじ軸２の外周面にはねじ部が形成されている。
【００２３】
［ボールナット］
ボールナット３は、ねじ軸２とボールねじを構成し、ねじ軸２が軸方向に変位するとボールナット３は回転する。すなわち、ボールナット３はねじ軸２の並進運動を回転運動に変換する。
【００２４】
ボールナット３は、貫通孔と、フランジ部と、を含む。貫通孔にはねじ軸２が通され、貫通孔の内周面には、ねじ軸２のねじ部と噛み合うねじ部が形成されている。フランジ部は、軸方向から見て、中空の円板形状である。
【００２５】
図２は、図１の一部拡大図である。渦電流式ダンパ１はさらに、磁石保持部材４と、複数の永久磁石５と、導電部材６と、２つのシール部材７と、磁石保護カバー８と、熱吸収液９と、を含む。
【００２６】
［磁石保持部材］
磁石保持部材４は、円筒形状であり、ボールナット３のフランジ部に固定される。したがって、ボールナット３が回転すると、磁石保持部材４も回転する。
【００２７】
磁石保持部材４は、複数の永久磁石５を保持する。磁石保持部材４の材質は炭素鋼、鋳鉄等の磁性体であるのが好ましい。この場合、磁石保持部材４はヨークとしての役割を果たし、永久磁石５からの磁束が外部に漏れることを抑制する。磁石保持部材４は軸方向に垂直な断面形状が円形の外周面を含む。
【００２８】
［永久磁石］
図３は、図２中のＩＩＩ−ＩＩＩ線での断面図である。複数の永久磁石５は、磁石保持部材４の外周面に固定される。複数の永久磁石５は、磁石保持部材４の円周方向に配列され、隣接する２つの永久磁石５の間には隙間が設けられる。
【００２９】
図４は、図３の一部拡大図である。複数の永久磁石５の磁極の配置は、円周方向に沿って交互に反転する。別の言葉で言えば、円周方向において隣接する永久磁石５同士は互いに磁極の配置が反転する。なお、図４では、永久磁石５の磁極の配置が磁石保持部材４の径方向である場合を示すが、磁極の配置はこれに限られず、軸方向であってもよい。
【００３０】
［導電部材］
図２を参照して、導電部材６は、円筒形状であり、その内部に永久磁石５、磁石保持部材４、ねじ軸２及びボールナット３を収容する。導電部材６の内周面は、複数の永久磁石５と隙間を空けて対向する。「対向する」とは、対象とする部材のみを磁石保持部材４の径方向に投影したときに両者が重複することを意味する。隙間の大きさは、永久磁石５からの磁束を導電部材６に効率的に到達させるため、可能な限り小さいほうが好ましい。また、各永久磁石５と導電部材６の内周面との距離は一定であるのが好ましい。
【００３１】
図１を参照して、導電部材６の一方の端部は取付具２２に固定され、導電部材６の他方の端部は自由端となっている。導電部材６の両端部において、導電部材６と磁石保持部材４との間にはスラスト軸受１８及びラジアル軸受１９が設けられる。したがって、磁石保持部材４が回転しても、導電部材６は回転しない。
【００３２】
［シール部材］
図２を参照して、２つのシール部材７はそれぞれ、リング形状であり、磁石保持部材４の外周面と導電部材６の内周面との間を隙間なく埋める。２つのシール部材７は、軸方向に所定の間隔を空けて設けられる。つまり、２つのシール部材７、導電部材６の内周面及び磁石保持部材４の外周面によって密閉空間が形成される。２つのシール部材７は、後述するように密閉空間に封入された熱吸収液９が外部に漏れることを抑制する。また、２つのシール部材７はそれぞれ、軸受としての機能を有し、磁石保持部材４の回転を許容する。シール部材７はたとえば、内部にばねを有するオイルシールである。
【００３３】
［磁石保護カバー］
磁石保護カバー８は、筒状部１３と、第１端部１４と、第１取付部１５と、第２端部１６と、第２取付部１７とを含む。
【００３４】
筒状部１３は、軸方向に垂直な断面形状が円形の外周面及び内周面を含み、軸方向に延びる。筒状部１３は、複数の永久磁石５と導電部材６の内周面との間に位置する。第１端部１４は、筒状部１３の一方の端から磁石保持部材４の径方向に延びる。軸方向から見て、第１端部１４はリング形状である。第１取付部１５は、筒状であり、第１端部１４の内周側の端から軸方向に延びる。第２端部１６は筒状部１３の他方の端に設けられ、第１端部１４と同様の形状である。第２取付部１７は第２端部１６の内周側の端から軸方向に延び、第１取付部１５と同様の形状である。
【００３５】
第１取付部１５及び第２取付部１７は、磁石保持部材４の外周面に固定される。したがって、磁石保持部材４が回転すれば、磁石保護カバー８も回転する。
【００３６】
このような構成により、磁石保護カバー８は、２つのシール部材７、導電部材６の内周面及び磁石保持部材４の外周面により形成された密閉空間を磁石収容室１１と、液体収容室１２とに仕切る。磁石収容室１１は、磁石保持部材４の外周面及び磁石保護カバー８で構成され、密閉されている。磁石収容室１１には、全ての永久磁石５が収容される。液体収容室１２は、導電部材６の内周面、２つのシール部材７及び磁石保護カバー８で構成され、密閉されている。液体収容室１２には、熱吸収液９が収容される。磁石保護カバー８の材質は非磁性であり、たとえばオーステナイト系ステンレス鋼等である。
【００３７】
磁石保護カバー８の形状は、密閉空間を磁石収容室と液体収容室とに仕切ることができればよく、その形状は上述の説明の場合に限定されない。たとえば、筒状部１３は、軸方向に沿って半径が変わる樽形状であってもよい。ただし、どのような形状であっても、磁石保護カバー８は磁石保持部材４に固定される。
【００３８】
［熱吸収液］
熱吸収液９は液体であり、たとえば、水、油、シリコーンオイル等である。熱吸収液９は、液体収容室１２に充填される。そのため、熱吸収液９は導電部材６の内周面及び磁石保護カバー８の導電部材６側の面と接触する。
【００３９】
［導電部材の局所的な温度上昇の抑制］
渦電流式ダンパ１に振動が加えられると、ねじ軸２が軸方向に変位し、ボールナット３、磁石保持部材４及び永久磁石５が回転する。永久磁石５が回転すると、導電部材６を通過する永久磁石５からの磁束が変化し、導電部材６に渦電流が発生する。渦電流が発生すると、新たな磁束（反磁界）が生じ、導電部材６の回転を妨げる（すなわちボールナット３の回転を妨げる）。ボールナット３の回転が妨げられると、ねじ軸２の軸方向への運動も妨げられ、振動が減衰する。これが渦電流式ダンパの減衰力となる。
【００４０】
一方で、渦電流が発生すると導電部材６の温度が上昇する。特に、渦電流は導電部材６の永久磁石と対向する部分に集中的に発生するため、この導電部材６の永久磁石５と対向する部分が局所的に高温になりやすい。
【００４１】
この点、第１実施形態の渦電流式ダンパでは、液体収容室に熱吸収液９が充填される。熱吸収液９は導電部材６の内周面と接するため、渦電流により導電部材６に生じた熱を奪うことができる。また、液体は気体と比べて熱容量が大きいため、熱吸収液９と導電部材６とを接触させることで、気体と導電部材とが接触する場合に比べてより導電部材６の熱を奪いやすい。さらに、永久磁石５の回転とともに磁石保護カバー８も回転するため、磁石保護カバー８と接する熱吸収液９は液体収容室内で撹拌される。熱吸収液９は導電部材６の高温部分と接する部分が高温になりやすいが、攪拌されることで熱吸収液９の熱が液体収容室内で拡散され（特に軸方向に拡散され）、熱吸収液９の温度が液体収容室内で均一になりやすい。これにより、熱吸収液９が導電部材６の高温部分からさらに熱を奪いやすくなり、導電部材６の局所的な温度上昇が抑制される。
【００４２】
導電部材６の局所的な温度上昇が抑制されることは、導電部材６の最高温度が低くなることを意味する。導電部材６の最高温度が低くなれば、導電部材６からの輻射熱の影響が弱くなる。したがって、導電部材６からの輻射熱による永久磁石５の温度上昇も抑制される。
【００４３】
また、液体収容室に充填された熱吸収液９は、回転する磁石保護カバー８と接する。そのため、磁石保護カバー８は熱吸収液９から粘性抵抗を受ける。この粘性抵抗は磁石保護カバー８の回転を妨げる方向に働く。すなわち、第１実施形態の渦電流式ダンパには、渦電流による減衰力に加えて、熱吸収液９の粘性抵抗による減衰力も働く。そのため、第１実施形態の渦電流式ダンパは、渦電流による減衰力のみ働く渦電流式ダンパに比べて、減衰力が高い。また、高い減衰力を発揮できることで、渦電流による減衰力のみ働く渦電流式ダンパと同じ減衰力を発揮するために必要な永久磁石の磁力は少なくて済む。そのため、第１実施形態の渦電流式ダンパは、渦電流による減衰力のみ働く渦電流式ダンパに比べて、永久磁石の大きさを小さくでき、ひいては渦電流式ダンパの軸方向長さをコンパクトにすることができる。
【００４４】
このような第１実施形態の渦電流式ダンパは、次のような構成とすることもできる。
【００４５】
［断熱材］
磁石収容室１１には、断熱材が封入されるのが好ましい。断熱材は、導電部材６からの輻射熱が永久磁石５に伝わることを抑制する。断熱材は、繊維系又は発泡系の固体断熱材であってもよいし、空気等の熱伝導率の低い気体であってもよい。
【００４６】
磁石保護カバーが設けられない渦電流式ダンパでは、永久磁石と導電部材との間の空間に断熱材として気体を封入した場合、相対的に回転する永久磁石と導電部材とによって発生する気流により断熱効果が十分に発揮されにくい。また、磁石保護カバーが設けられた渦電流式ダンパであっても、磁石保護カバーが導電部材に固定されれば、相対的に回転する永久磁石と磁石保護カバーとによって発生する気流により断熱効果が十分に発揮されにくい。
【００４７】
この点、第１実施形態の渦電流式ダンパでは、磁石保護カバー８は磁石保持部材４に固定される。そのため、永久磁石５と導電部材６とが相対的に回転しても、永久磁石５と磁石保護カバーは同一角速度で回転する。すなわち、磁石収容室１１内の気体断熱材は永久磁石５及び磁石保護カバー８と同一角速度での剛体回転に近い流動状態となり、気体断熱材は永久磁石５及び磁石保護カバー８に対して相対的に静止している状態とみなせる。したがって、第１実施形態の渦電流式ダンパでは断熱効果が十分に発揮される。
【００４８】
磁石収容室１１に気体断熱材を封入する場合、磁石保護カバー８の筒状部１３の内周面（永久磁石５と向き合う面）の少なくとも一部に、断熱塗膜が積層されていてもよい。断熱塗膜を積層することにより、気体断熱材の断熱効果をより高めることができる。断熱塗膜はたとえば次のようにして形成される。中空ガラスビーンズ、シリコーン樹脂、シリカ粉末及び溶剤を含む液体塗料を原料とし、この液体塗料を磁石保護カバー８の筒状部１３の内周面の少なくとも一部に塗布し、乾燥させる。これにより、液体塗料から高温環境にも耐え得るゴム状の膜（断熱塗膜）が形成される。
【００４９】
以上、第１実施形態の渦電流式ダンパについて説明した。しかしながら、本発明の渦電流式ダンパはこれに限定されず、以下のような実施形態とすることもできる。
【００５０】
［第２実施形態］
第２実施形態の渦電流式ダンパについて説明する。
【００５１】
図５は、第２実施形態の渦電流式ダンパの軸方向に沿った面での一部断面図である。第２実施形態の渦電流式ダンパ１は、導電部材６が永久磁石５の内側に配置され、回転する点で第１実施形態と相違する。以下の説明では、第１実施形態と異なる構成についてのみ説明し、同一の構成については説明を省略する。
【００５２】
［磁石保持部材］
磁石保持部材４は、円筒形状であり、その内部に永久磁石５、導電部材６、ねじ軸２及びボールナット３を収容する。磁石保持部材４の一方の端部は取付具に固定され、磁石保持部材４の他方の端部は自由端となっている。したがって、磁石保持部材４は回転しない。
【００５３】
［永久磁石］
複数の永久磁石５は、磁石保持部材４の内周面に固定される。
【００５４】
［導電部材］
導電部材６は、円筒形状であり、ボールナット３に固定される。したがって、ボールナット３が回転すると、導電部材６も回転する。導電部材６の外周面は、複数の永久磁石５と隙間を空けて対向する。
【００５５】
導電部材６の両端部において、導電部材６と磁石保持部材４との間にはスラスト軸受及びラジアル軸受が設けられる。したがって、導電部材６が回転しても、磁石保持部材４は回転しない。
【００５６】
［シール部材］
２つのシール部材７は、磁石保持部材４の内周面と導電部材６の外周面との間を隙間なく埋める。つまり、２つのシール部材７、導電部材６の外周面及び磁石保持部材４の内周面によって密閉空間が形成される。
【００５７】
［磁石保護カバー］
磁石保護カバー８の筒状部１３は、複数の永久磁石５と導電部材６の外周面との間に位置する。磁石保護カバー８の第１取付部１５及び第２取付部１７は、磁石保持部材４の内周面に固定される。
【００５８】
［熱吸収液］
熱吸収液９は液体収容室１２に充填され、導電部材６の外周面と接触する。
【００５９】
このような構成の第２実施形態の渦電流式ダンパでは、振動が加えられれば、ボールナット３が回転し、それに伴い導電部材６が回転する。その一方で、永久磁石５は回転しない。つまり、導電部材６と永久磁石５とが相対的に回転するため、導電部材６には渦電流が発生する。
【００６０】
液体収容室１２に充填された熱吸収液９は、回転する導電部材６の外周面と接する。したがって、第２実施形態の渦電流式ダンパでも、上述したように、導電部材６の局所的な温度の上昇を抑制できる。
【００６１】
［第３実施形態］
第３実施形態の渦電流式ダンパについて説明する。
【００６２】
図６は、第３実施形態の渦電流式ダンパの軸方向に沿った面での断面図である。第３実施形態の渦電流式ダンパ１は、永久磁石５が導電部材６の内側に配置される点は第１実施形態と同じであるが、永久磁石５は回転せず、導電部材６が回転する点で第１実施形態と相違する。以下の説明では、第１実施形態と異なる構成についてのみ説明し、同一の構成については説明を省略する。
【００６３】
［磁石保持部材］
図７は、図６の一部拡大図である。磁石保持部材４の一方の端部は取付具に固定され、磁石保持部材４の他方の端部は自由端となっている。したがって、磁石保持部材４は回転しない。
【００６４】
［導電部材］
導電部材６は、その内部に永久磁石５、磁石保持部材４、ねじ軸２及びボールナット３を収容する。導電部材６の一方の端部はボールナット３に固定される。したがって、ボールナット３が回転すると、導電部材６も回転する。導電部材６の他方の端部は自由端となっている。
【００６５】
導電部材６の両端部において、導電部材６と磁石保持部材４との間にはスラスト軸受及びラジアル軸受が設けられる。したがって、導電部材６が回転しても、磁石保持部材４は回転しない。
【００６６】
このような構成の第３実施形態の渦電流式ダンパでは、振動が加えられれば、ボールナット３が回転し、それに伴い導電部材６が回転する。その一方で、永久磁石５は回転しない。つまり、導電部材６と永久磁石５とが相対的に回転するため、導電部材６には渦電流が発生する。
【００６７】
液体収容室１２に充填された熱吸収液９は、回転する導電部材６の内周面と接する。したがって、第３実施形態の渦電流式ダンパでも、上述したように、導電部材６の局所的な温度の上昇を抑制できる。
【００６８】
［第４実施形態］
第４実施形態の渦電流式ダンパについて説明する。
【００６９】
図８は、第４実施形態の渦電流式ダンパの軸方向に沿った面での一部断面図である。第４実施形態の渦電流式ダンパ１は、導電部材６が回転せず、永久磁石５が回転する点では第１実施形態と同じであるが、永久磁石５が導電部材６の外側に配置される点で第１実施形態と相違する。以下の説明では、第１実施形態と異なる構成についてのみ説明し、同一の構成については説明を省略する。
【００７０】
［磁石保持部材］
磁石保持部材４の一方の端部はボールナット３に固定される。したがって、ボールナット３が回転すれば、磁石保持部材４も回転する。磁石保持部材４の他方の端部は自由端となっている。
【００７１】
［導電部材］
導電部材６の一方の端部は取付具に固定され、他方の端部は自由端となっている。導電部材６の両端部において、導電部材６と磁石保持部材４との間にはスラスト軸受及びラジアル軸受が設けられる。したがって、ボールナット３が回転すると、磁石保持部材４は回転するが、導電部材６は回転しない。
【００７２】
このような構成の第４実施形態の渦電流式ダンパでは、振動が加えられれば、ボールナット３が回転し、それに伴い磁石保持部材４が回転する。その一方で、導電部材６は回転しない。つまり、導電部材６と永久磁石５とが相対的に回転するため、導電部材６には渦電流が発生する。
【００７３】
液体収容室に充填された熱吸収液９は、回転する導電部材６の外周面と接する。したがって、第４実施形態の渦電流式ダンパでも、上述したように、導電部材６の局所的な温度の上昇を抑制できる。
【００７４】
以上、本実施形態の渦電流式ダンパについて説明した。その他、本発明は上記の実施形態に限定されず、本発明の趣旨を逸脱しない範囲で、種々の変更が可能であることは言うまでもない。
【産業上の利用可能性】
【００７５】
本発明の渦電流式ダンパは、建造物の制振装置及び免震装置に有用である。
【符号の説明】
【００７６】
１：渦電流式ダンパ
２：ねじ軸
３：ボールナット
４：磁石保持部材
５：永久磁石
６：導電部材
７：シール部材
８：磁石保護カバー
９：熱吸収液
１１：磁石収容室
１２：液体収容室
１３：筒状部
１４：第１端部
１５：第１取付部
１６：第２端部
１７：第２取付部
１８：スラスト軸受
１９：ラジアル軸受
２１：取付部
２２：取付部
【図１】
2020016309.tif 000003
【図２】
2020016309.tif 000004
【図３】
2020016309.tif 000005
【図４】
2020016309.tif 000006
【図５】
2020016309.tif 000007
【図６】
2020016309.tif 000008
【図７】
2020016309.tif 000009
【図８】
2020016309.tif 000010